(57)【要約】【課題】機器の操作を苦手とするユーザーであっても、表示部に表示される画像を容易に変更することができる画像表示装置を提供すること。【解決手段】プリンタ１は、画像を表示するディスプレイ１４と、可撓性を有するシート状の基材２０、及び、この基材２０の表面に配置されて基材２０の屈曲変形を検出する屈曲検出部２１，２２を有する入力装置１４と、屈曲検出部２１，２２により検出された基材２０の屈曲変形に基づいて、ディスプレイ１３に表示させる画像を変更する表示制御部を備えている。【選択図】図４
2009086403.tif 000002
【特許請求の範囲】
【請求項１】
画像を表示する表示部と、
可撓性を有するシート状の基材、及び、この基材表面に配置されて前記基材の屈曲変形を検出する屈曲検出手段を有する入力手段と、
前記入力手段の前記屈曲検出手段により検出された前記基材の屈曲変形に基づいて、前記表示部に表示させる画像を変更する表示制御手段と、
を備えていることを特徴とする画像表示装置。
【請求項２】
前記屈曲検出手段により前記基材の屈曲変形が検出されたときに、前記表示制御手段は、前記表示部に、現在表示されている画像を拡大又は縮小させることを特徴とする請求項１に記載の画像表示装置。
【請求項３】
前記表示制御手段は、
前記屈曲検出手段による検出結果に基づいて、前記基材が上方に凸となるように曲げられたと判断したときには、前記表示部に、現在表示されている画像を拡大させ、
前記屈曲検出手段による検出結果に基づいて、前記基材が下方に凸となるように曲げられたと判断したときには、前記表示部に、現在表示されている画像を縮小させることを特徴とする請求項２に記載の画像表示装置。
【請求項４】
前記入力手段は、前記基材表面の複数の領域にそれぞれ配置された、複数の前記屈曲検出手段を有し、
１つの前記屈曲検出手段により前記基材の屈曲変形が検出されたときに、前記表示制御手段は、前記表示部に表示されている画像を、前記１つの屈曲検出手段の配置領域に対応する部分を中心に、拡大又は縮小させることを特徴とする請求項２又は３に記載の画像表示装置。
【請求項５】
前記表示制御手段は、前記表示部に、一度に複数の画像を一覧表示させることが可能であり、
前記屈曲検出手段により前記基材の屈曲変形が検出されたときに、前記表示制御手段は、前記表示部に一覧表示させる画像の数を変更することを特徴とする請求項１〜４の何れかに記載の画像表示装置。
【請求項６】
前記屈曲検出手段により前記基材の屈曲変形が検出されたときに、前記表示制御手段は、前記表示部に表示させる画像を、現在表示されている画像から別の画像に切り替えることを特徴とする請求項１〜５の何れかに記載の画像表示装置。
【請求項７】
被記録媒体に画像を記録する画像記録部と、
前記画像記録部に、前記表示部に表示されている画像を被記録媒体に記録させる記録制御部とをさらに備えていることを特徴とする請求項１〜６の何れかに記載の画像表示装置。
【請求項８】
前記記録制御部は、前記屈曲検出手段に検出された前記基材の屈曲変形が、前記表示部に表示させる画像を変更するための屈曲変形とは異なる態様の変形であると判断したときに、前記画像記録部に、前記表示部に表示されている画像を被記録媒体に記録させることを特徴とする請求項７に記載の画像表示装置。
【請求項９】
前記基材は矩形状のシート材からなり、
前記記録制御部は、前記屈曲検出手段による検出結果に基づいて、矩形状の前記基材の角部が曲げられたと判断したときに、前記画像記録部に、前記表示部に表示されている画像を被記録媒体に記録させることを特徴とする請求項８に記載の画像表示装置。
【請求項１０】
前記入力手段は、前記基材表面の複数の領域にそれぞれ配置された、複数の前記屈曲検出手段を有することを特徴とする請求項１〜９の何れかに記載の画像表示装置。
【請求項１１】
前記屈曲検出手段は、
前記基材の表面に設けられた圧電層と、前記圧電層の一方の面に配置されるとともに間隔を空けて互いに平行に延びる第１電極と第２電極とを有することを特徴とする請求項１〜１０の何れかに記載の画像表示装置。
【請求項１２】
前記圧電層の前記一方の面に、一方向に沿って平行に延在するとともに互いに導通した複数の前記第１電極と、前記複数の第１電極と平行に延在するとともに互いに導通した複数の前記第２電極が、互い違いに配置されていることを特徴とする請求項１１に記載の画像表示装置。
【請求項１３】
前記基材の前記一方の面に、互いに平行な前記第１電極と前記第２電極を含む前記屈曲検出手段が複数配置され、
前記複数の屈曲検出手段の間で、電極の延在方向が互いに異なっていることを特徴とする請求項１１又は１２に記載の画像表示装置。
【請求項１４】
前記屈曲検出手段は、
前記基材の表面に設けられた圧電層と、前記圧電層の一方の面に配置された第１電極と、前記圧電層の他方の面に配置された第２電極とを有することを特徴とする請求項１〜１０の何れかに記載の画像表示装置。
【請求項１５】
前記屈曲検出手段は、
前記基材表面に配置された導電性材料からなり、前記基材の屈曲変形に応じて電気抵抗が変化する、電気抵抗体を有することを特徴とする請求項１〜１０の何れかに記載の画像表示装置。
【請求項１６】
前記屈曲検出手段は、
前記基材表面に配置された、複数の加速度センサを有することを特徴とする請求項１〜１０の何れかに記載の画像表示装置。
【請求項１７】
前記表示部はそれ全体として可撓性を有し、さらに、前記基材に設けられて前記基材と一体的に屈曲変形可能に構成されていることを特徴とする請求項１〜１６の何れかに記載の画像表示装置。
【請求項１８】
前記表示部は、前記基材から分離して設けられていることを特徴とする請求項１〜１６の何れかに記載の画像表示装置。
【請求項１９】
前記基材には、前記表示部に表示される画像に対応した、正規の使用姿勢を認識させるための姿勢識別部が設けられていることを特徴とする請求項１８に記載の画像表示装置。
【請求項２０】
前記基材の姿勢を検出する姿勢検出部を有することを特徴とする請求項１８に記載の画像表示装置。
【請求項２１】
前記姿勢検出部は、前記基材が試行的に曲げられることによって前記基材に屈曲変形が生じたときの、前記屈曲検出手段による検出結果に基づいて、前記基材の姿勢を検出することを特徴とする請求項２０に記載の画像表示装置。
【請求項２２】
可撓性を有するシート状の基材と、
前記基材と同じく可撓性を有するとともに前記基材と一体的に設けられた、画像を表示する表示部と、
前記基材表面に配置されて前記基材の屈曲変形を検出する屈曲検出手段と、
前記屈曲検出手段により検出された前記基材の屈曲変形に基づいて、前記表示部に表示させる画像を変更する表示制御手段と、
を備えていることを特徴とする画像表示装置。
【発明の詳細な説明】
【技術分野】
【０００１】
本発明は、画像を表示する画像表示装置に関する。
【背景技術】
【０００２】
印刷用紙等の被記録媒体に画像を記録（印刷）するプリンタ等には、画像に関する様々な情報を表示可能なディスプレイ（表示部）と、ユーザーによって操作される操作パネルが一般的に設けられている（例えば、特許文献１参照）。また、このようなプリンタは、通常、入力された画像データの画像をディスプレイに表示することが可能になっており、さらに、操作パネルに設けられた様々な種類のボタンをユーザーが操作することで、表示画像の切り替えや画像の拡大縮小といった画像変更処理をディスプレイに行わせることが可能に構成されている。
【０００３】
【特許文献１】特開２００６−３５６６２号公報
【発明の開示】
【発明が解決しようとする課題】
【０００４】
しかし、高齢者などの機器の操作を苦手とするユーザーにとっては、操作パネルに設けられた複数の小さなボタンの機能をそれぞれ理解した上で、これら複数のボタンを操作して、ディスプレイに、表示画像の切り替えや画像の拡大縮小といった画像変更処理を実行させることは非常に困難である。
【０００５】
本発明の目的は、機器の操作を苦手とするユーザーであっても、表示部に表示される画像を容易に変更することができる画像表示装置を提供することである。
【課題を解決するための手段】
【０００６】
第１の発明の画像表示装置は、画像を表示する表示部と、可撓性を有するシート状の基材、及び、この基材表面に配置されて前記基材の屈曲変形を検出する屈曲検出手段を有する入力手段と、前記入力手段の前記屈曲検出手段により検出された前記基材の屈曲変形に基づいて、前記表示部に表示させる画像を変更する表示制御手段とを備えていることを特徴とするものである。
【０００７】
ユーザーが、紙を曲げるようにして、可撓性を有するシート状の基材に屈曲変形を生じさせると、この基材の屈曲変形は屈曲検出手段により検出され、さらに、検出された屈曲変形に基づいて、表示制御手段により、表示部に表示される画像が変更される。この構成によれば、表示部に表示される画像を変更するために、装置本体に設けられた操作ボタン等を複雑に操作する必要がなく、機器の操作が苦手なユーザーであっても、表示部に表示される画像を簡単に変更することができる。
【０００８】
第２の発明の画像表示装置は、前記第１の発明において、前記屈曲検出手段により前記基材の屈曲変形が検出されたときに、前記表示制御手段は、前記表示部に、現在表示されている画像を拡大又は縮小させることを特徴とするものである。
【０００９】
この構成によれば、シート状の基材を屈曲させるだけで、表示部に表示されている画像を拡大又は縮小させることができ、操作が簡単である。
【００１０】
第３の発明の画像表示装置は、前記第２の発明において、前記表示制御手段は、前記屈曲検出手段による検出結果に基づいて、前記基材が上方に凸となるように曲げられたと判断したときには、前記表示部に、現在表示されている画像を拡大させ、前記屈曲検出手段による検出結果に基づいて、前記基材が下方に凸となるように曲げられたと判断したときには、前記表示部に、現在表示されている画像を縮小させることを特徴とするものである。
【００１１】
ユーザーによって、基材がユーザーに近づくように、ユーザーから見て手前側（上方）に凸となるように基材が曲げられたときには、表示制御手段は表示部に表示されている画像を拡大させる。一方、基材がユーザーから遠ざかるように、ユーザーから見て向こう側（下方）に凸となるように基材が曲げられたときには、表示制御手段は表示部に表示されている画像を縮小させる。このように、基材を近づける操作と画像の拡大が対応し、また、基材を遠ざける動作と画像の縮小とが対応しているため、拡大縮小させる際の基材の屈曲操作をユーザーが感覚的に覚えやすい。
【００１２】
第４の発明の画像表示装置は、前記第２又は第３の発明において、前記入力手段は、前記基材表面の複数の領域にそれぞれ配置された、複数の前記屈曲検出手段を有し、
１つの前記屈曲検出手段により前記基材の屈曲変形が検出されたときに、前記表示制御手段は、前記表示部に表示されている画像を、前記１つの屈曲検出手段の配置領域に対応する部分を中心に、拡大又は縮小させることを特徴とするものである。
【００１３】
この構成によれば、複数の屈曲検出手段のうちの１つが設けられている領域において基材を屈曲させることにより、表示部に表示されている画像のどの部分を中心に、画像を拡大又は縮小させるのかを指定することができる。
【００１４】
第５の発明の画像表示装置は、前記第１〜第４の何れかの発明において、前記表示制御手段は、前記表示部に、一度に複数の画像を一覧表示させることが可能であり、
前記屈曲検出手段により前記基材の屈曲変形が検出されたときに、前記表示制御手段は、前記表示部に一覧表示させる画像の数を変更することを特徴とするものである。
【００１５】
この構成によれば、基材を屈曲させることにより、表示部に一覧表示させる画像（サムネイル画像）の数を変更することができる。
【００１６】
第６の発明の画像表示装置は、前記第１〜第５の何れかの発明において、前記屈曲検出手段により前記基材の屈曲変形が検出されたときに、前記表示制御手段は、前記表示部に表示させる画像を、現在表示されている画像から別の画像に切り替えることを特徴とするものである。
【００１７】
この構成によれば、基材を屈曲させることにより、表示部に表示させる画像を別の画像に簡単に切り替えることができる。
【００１８】
第７の発明の画像表示装置は、前記第１〜第６の何れかの発明において、被記録媒体に画像を記録する画像記録部と、前記画像記録部に、前記表示部に表示されている画像を被記録媒体に記録させる記録制御部とをさらに備えていることを特徴とするものである。
【００１９】
この構成によれば、表示部に表示されている画像を、画像記録部により、被記録媒体に記録させることが可能となる。
【００２０】
第８の発明の画像表示装置は、前記第７の発明において、前記記録制御部は、前記屈曲検出手段に検出された前記基材の屈曲変形が、前記表示部に表示させる画像を変更するための屈曲変形とは異なる態様の変形であると判断したときに、前記画像記録部に、前記表示部に表示されている画像を被記録媒体に記録させることを特徴とするものである。
【００２１】
この構成によれば、画像の切り替えや画像の拡大縮小など表示画像を変更する場合とは異なる態様の屈曲変形を基材に生じさせることで、現在表示部に表示されている画像を選択して、この画像を画像記録部に記録させることができる。従って、画像の記録を指示するために、ユーザーが、入力手段とは別の操作部を操作する必要がない。
【００２２】
第９の発明の画像表示装置は、前記第８の発明において、前記基材は矩形状のシート材からなり、
前記記録制御部は、前記屈曲検出手段による検出結果に基づいて、矩形状の前記基材の角部が曲げられたと判断したときに、前記画像記録部に、前記表示部に表示されている画像を被記録媒体に記録させることを特徴とするものである。
【００２３】
この構成によれば、紙の端を折り曲げるような感覚で、矩形状のシート材からなる基材の角部を屈曲させることにより、現在表示されている画像を選択し、被記録媒体に記録させることができる。
【００２４】
第１０の発明の画像表示装置は、前記第１〜第９の何れかの発明において、前記入力手段は、前記基材表面の複数の領域にそれぞれ配置された、複数の前記屈曲検出手段を有することを特徴とするものである。
【００２５】
このように、基材に複数の屈曲検出手段が設けられることにより、基材の複数の領域における屈曲変形をそれぞれ区別して検出することが可能になる。また、屈曲方向の異なる屈曲変形を区別して検出することも可能になる。そのため、区別して検出された様々な態様の屈曲変形に対して、画像の切り替えや画像の拡大縮小などの、複数の画像変更処理をそれぞれ割り付けて、これらの処理を表示部に行わせることが可能になる。
【００２６】
第１１の発明の画像表示装置は、前記第１〜第１０の何れかの発明において、前記屈曲検出手段は、前記基材の表面に設けられた圧電層と、前記圧電層の一方の面に配置されるとともに間隔を空けて互いに平行に延びる第１電極と第２電極とを有することを特徴とするものである。
【００２７】
この構成によれば、基材に屈曲変形が生じて、圧電層の、第１電極及び第２電極の間の部分に歪みが生じると、この歪みに応じて第１電極と第２電極との間に電界が発生する。これにより、第１電極と第２電極の間に電位差が生じることから、基材の屈曲変形を検出することが可能になる。
【００２８】
第１２の発明の画像表示装置は、前記第１１の発明において、前記圧電層の前記一方の面に、一方向に沿って平行に延在するとともに互いに導通した複数の前記第１電極と、前記複数の第１電極と平行に延在するとともに互いに導通した複数の前記第２電極が、互い違いに配置されていることを特徴とするものである。
【００２９】
このように、圧電層の一方の面上において、同一方向に延在する複数の第１電極と複数の第２電極とが、互い違いに配置されることによって、第１電極と第２電極とからなる電極の組が複数存在することになる。そのため、基材の屈曲変形によって発生する電荷量を増大させ、また、第１、第２電極間の距離を短くすることで検出感度を上げつつ、ある程度の広さを有する領域内に生じる基材の屈曲変形を１つの屈曲検出手段で検出することができる。
【００３０】
第１３の発明の画像表示装置は、前記第１１又は第１２の発明において、前記基材の前記一方の面に、互いに平行な前記第１電極と前記第２電極を含む前記屈曲検出手段が複数配置され、前記複数の屈曲検出手段の間で、電極の延在方向が互いに異なっていることを特徴とするものである。
【００３１】
この構成によれば、基材に設けられた複数の屈曲検出手段の間で、電極（第１電極及び第２電極）の延在方向が異なっているため、これら複数の屈曲検出手段により、異なる方向の基材の屈曲変形をそれぞれ区別して検出することができる。
【００３２】
第１４の発明の画像表示装置は、前記第１〜第１０の何れかの発明において、前記屈曲検出手段は、前記基材の表面に設けられた圧電層と、前記圧電層の一方の面に配置された第１電極と、前記圧電層の他方の面に配置された第２電極とを有することを特徴とするものである。
【００３３】
基材に屈曲変形が生じて、圧電層の、その一方の面に配置された第１電極と他方の面に配置された第２電極とに挟まれた部分に歪みが生じると、この歪みに応じて第１電極と第２電極との間に電界が発生する。これにより、第１電極と第２電極の間に電位差が生じることから、基材の屈曲変形を検出することが可能になる。
【００３４】
第１５の発明の画像表示装置は、前記第１〜第１０の何れかの発明において、前記屈曲検出手段は、前記基材表面に配置された導電性材料からなり、前記基材の屈曲変形に応じて電気抵抗が変化する、電気抵抗体を有することを特徴とするものである。
【００３５】
本発明における屈曲検出手段の屈曲検出原理は、歪みゲージによる歪み測定原理と同様である。即ち、基材に屈曲変形が生じると、この基材表面に設けられた電気抵抗体が、基材とともに伸縮することによって、電気抵抗体の電気抵抗が変化する。この電気抵抗体の電気抵抗の変化から、基材の屈曲変形を検出することが可能となる。
【００３６】
第１６の発明の画像表示装置は、前記第１〜第１０の何れかの発明において、前記屈曲検出手段は、前記基材表面に配置された、複数の加速度センサを有することを特徴とするものである。
【００３７】
基材に設けられた複数の加速度センサにより、基材の複数箇所の移動（位置の変化）を検出することができることから、これら複数箇所の位置変化から基材の屈曲変形を検出することが可能となる。
【００３８】
第１７の発明の画像表示装置は、前記第１〜第１６の何れかの発明において、前記表示部はそれ全体として可撓性を有し、さらに、前記基材に設けられて前記基材と一体的に屈曲変形可能に構成されていることを特徴とするものである。
【００３９】
この構成によれば、表示部が基材と一体的に屈曲変形可能であるため、表示部に表示されている画像を見ながら、この表示部の裏側に位置する基材を屈曲変形させて、表示部の画像を変更することができる。
【００４０】
第１８の発明の画像表示装置は、前記第１〜第１６の何れかの発明において、前記表示部は、前記基材から分離して設けられていることを特徴とするものである。
【００４１】
このように、表示部が基材から分離して設けられていると、入力手段の構成が簡単になる。また、表示部が基材と一体的に設けられている場合と違い、表示部が可撓性を有する必要は特になく、表示部が曲がって画像が見えにくくなるということはない。
【００４２】
第１９の発明の画像表示装置は、前記第１８の発明において、前記基材には、前記表示部に表示される画像に対応した、正規の使用姿勢を認識させるための姿勢識別部が設けられていることを特徴とするものである。
【００４３】
表示部と基材が分離している場合には、ユーザーが入力装置の基材を手に取ったときに、現在の基材の姿勢が表示部の画像に対応した正規の姿勢であるのかどうかわからない場合がある。しかし、本発明では、基材に、正規の使用姿勢を認識させるための識別部が設けられているため、ユーザーは、基材を操作するときに、どの姿勢で基材を曲げれば、表示部の画像変更を正しく行うことができるかをすぐに認識することができる。尚、姿勢識別部としては、基材に設けられたマークや表示であってもよいし、基材自身の形状（例えば、ユーザーが基材を持ちやすくなるような取っ手などがある場合）で識別できるようになっていてもよい。
【００４４】
第２０の発明の画像表示装置は、前記第１８の発明において、前記基材の姿勢を検出する姿勢検出部を有することを特徴とするものである。
【００４５】
この構成によれば、画像表示装置側で基材の姿勢を認識することができることから、ユーザーに対して、現在の基材の姿勢が正規の使用姿勢であるか否かを知らせることが可能になる。
【００４６】
第２１の発明の画像表示装置は、前記第２０の発明において、前記姿勢検出部は、前記基材が試行的に曲げられることによって前記基材に屈曲変形が生じたときの、前記屈曲検出手段による検出結果に基づいて、前記基材の姿勢を検出することを特徴とするものである。
【００４７】
この構成によれば、実際の操作前に、ユーザーによって基材が試行的に曲げられたときに、屈曲検出部により検出された基材の屈曲変形の態様に基づき、姿勢検出部は現在の基材の姿勢を認識する。従って、基材の姿勢を検出するための特別なセンサ類が不要になる。
【００４８】
第２２の発明の画像表示装置は、可撓性を有するシート状の基材と、前記基材と同じく可撓性を有するとともに前記基材と一体的に設けられた、画像を表示する表示部と、前記基材表面に配置されて前記基材の屈曲変形を検出する屈曲検出手段と、前記屈曲検出手段により検出された前記基材の屈曲変形に基づいて、前記表示部に表示させる画像を変更する表示制御手段とを備えていることを特徴とするものである。
【００４９】
ユーザーが、紙を曲げるようにして、可撓性を有するシート状の基材に屈曲変形を生じさせると、この基材の屈曲変形は屈曲検出手段により検出され、さらに、検出された屈曲変形に基づいて、表示制御手段により、基材と一体的に設けられた表示部の画像が変更される。この構成によれば、表示部に表示される画像を変更するために、複数の操作ボタン等を複雑に操作する必要がなく、機器の操作が苦手なユーザーであっても、表示部に表示される画像を簡単に変更することができる。また、表示部が基材に一体的に設けられているため、この表示部に表示されている画像を見ながら、表示部の裏側に位置する基材を屈曲変形させて、表示部の画像を変更することができる。
【発明の効果】
【００５０】
本発明によれば、入力手段の基材を屈曲変形させるだけで表示部に表示される画像を変更することができる。従って、装置本体に設けられた操作ボタン等を複雑に操作する必要がなく、機器の操作が苦手なユーザーであっても、表示部に表示される画像を簡単に変更することができる。
【発明を実施するための最良の形態】
【００５１】
＜第１実施形態＞
次に、本発明の第１実施形態について説明する。図１は、第１実施形態のプリンタの斜視図、図２は、プリンタの電気的構成を概略的に示すブロック図である。
【００５２】
図１、図２に示すように、第１実施形態のプリンタ１（画像表示装置）は、印刷用紙Ｐ（被記録媒体）に画像を記録する記録ヘッド２（画像記録部）と、印刷用紙Ｐを所定方向（図１の前方）へ搬送する搬送機構３と、記録ヘッド２及び搬送機構３を含む、プリンタ１の各種機構をそれぞれ制御する制御装置４を備えている。
【００５３】
図１に示すように、プリンタ１は、略直方体状のプリンタ本体６を有し、このプリンタ本体６内に、記録ヘッド２、搬送機構３、及び、制御装置４等が収容されている。記録ヘッド２としては、インクジェット方式や、レーザー方式、あるいは、熱転写方式等、公知の方式で印刷用紙Ｐに印刷を行うものが用いられる。この記録ヘッド２は、画像データが記録されたデータ記録媒体７（図２参照）がプリンタ１に接続された状態で、制御装置４からの指令に基づいて、データ記録媒体７から入力された、画像データ（画像ファイル）の画像を印刷用紙Ｐに記録する。尚、以下の説明において、１つの画像データ（画像ファイル）とは、１枚の画像を構成するひとまとまりのデータの集合体を意味するものとする。
【００５４】
プリンタ本体６の下半部はその一部が前方に開放されており、この開放部分には、印刷用紙Ｐが収容される給紙トレイ９と、画像が記録された印刷用紙Ｐが排出される排紙トレイ８が設けられている。そして、搬送機構３は、モータで回転駆動される搬送ローラによって、給紙トレイ９内の印刷用紙Ｐを、プリンタ本体６内の記録ヘッド２へ搬送するとともに、記録ヘッド２により画像が記録された印刷用紙Ｐを前方の排紙トレイ８へ排出する。
【００５５】
プリンタ本体６の下半部前面の、給紙トレイ９及び排紙トレイ８の側方位置には、カートリッジ装着部１０が設けられており、このカートリッジ装着部１０には、４色のインク（イエロー、マゼンタ、シアン、及び、ブラック）をそれぞれ収容した４つのインクカートリッジ１１が着脱自在に装着される。
【００５６】
プリンタ本体６の上部は、図１の紙面手前側に位置するユーザーに向けて、前方に傾斜しており、この傾斜面６ａには、ユーザーにより操作される複数の操作ボタン１２が設けられている。
【００５７】
さらに、プリンタ１は、可撓性を有するシート状の基材２０、及び、この基材２０の表面に配置されて基材２０の屈曲変形を検出する２つの屈曲検出部２１，２２（屈曲検出手段）とを有する入力装置１４（入力手段）を備えている。図３（ａ）は、入力装置１４の平面図、図３（ｂ）は図３（ａ）のＢ−Ｂ線断面図である。図３（ａ），（ｂ）に示すように、この入力装置１４の基材２０の表面（上面）には、それ全体として可撓性を有するディスプレイ１３（表示部）が設けられており、このディスプレイ１３は、基材２０と一体的に屈曲変形可能となっている。このようなディスプレイ１３としては、厚みが１０分の数ミリ程度と、紙と同等の厚みであって、電圧印加等によってデータ表示及び消去が可能な、いわゆる、電子ペーパーを挙げることができる。尚、図１に示すように、入力装置１４とディスプレイ１３は、ケーブル１５を介して、プリンタ本体６内に格納された制御装置４（図２参照）に接続されている。
【００５８】
そして、ユーザーがディスプレイ１３に表示させる画像を変更したい場合には、入力装置１４の基材２０は、ユーザーによって紙を曲げるように操作される。このとき、基材２０に生じた屈曲変形は、基材２０に設けられた２つの屈曲検出部２１，２２により検出される。そして、屈曲検出部２１，２２により検出された基材２０の屈曲変形の態様に基づいて、制御装置４がディスプレイ１３に表示させる画像を変更するように構成されている。
【００５９】
以下、入力装置１４について具体的に説明する。
図３（ａ）に示すように、基材２０は、平面視で矩形状に形成されている。また、この可撓性の基材２０としては、ポリイミドなどの合成樹脂材料からなる樹脂シート材、あるいは、アルミニウム合金やステンレスなどの金属材料からなる薄板等を用いることができる。
【００６０】
この基材２０の裏面（ディスプレイ１３と反対側の面、図３の紙面向こう側の面）には、２つの屈曲検出部（第１屈曲検出部２１、第２屈曲検出部２２）が設けられている。２つの屈曲検出部２１，２２は、基材２０の長手方向（図３（ａ）の左右方向）に関する中央部において、短手方向（図３（ａ）の上下方向）に並べて配置されている。また、屈曲検出部２１，２２として、この第１実施形態では、圧電素子の機械（歪み）−電気変換作用を利用したものが採用されている。即ち、各々の屈曲検出部２１，２２は、基材２０の裏面に形成された圧電層２３と、この圧電層２３の基材２０と反対側の面（裏面）に形成され、間隔を空けて互いに平行に延びる２種類の電極（第１電極２４及び第２電極２５）とを有する。
【００６１】
圧電層２３は、例えば、チタン酸鉛とジルコン酸鉛との固溶体であり強誘電体であるチタン酸ジルコン酸鉛（ＰＺＴ）を主成分とする圧電材料からなり、基材２０の裏面全体を覆うように形成されている。即ち、２つの屈曲検出部２１，２２の間で、圧電層２３は共通となっている。この圧電層２３は、例えばエアロゾルデポジション法や、スパッタ法、ゾルゲル法等によって基材２０に形成される。
【００６２】
各々の屈曲検出部２１，２２において、圧電層２３の裏面（ディスプレイ１３と反対側の面）には、一方向に沿って平行に延在するとともに互いに導通した、櫛歯状の複数の第１電極２４と、これら複数の第１電極２４と平行に延在するとともに互いに導通した、同じく櫛歯状の複数の第２電極２５とが設けられている。さらに、複数の第１電極２４と複数の第２電極２５は互い違いに配置されている。これら第１電極２４及び第２電極２５は、金、銅、銀、パラジウム、白金、あるいは、チタンなどの導電性材料により、スクリーン印刷法や蒸着法等を用いて形成される。
【００６３】
図３（ａ）に示すように、２つの屈曲検出部２１，２２の間で、電極（第１電極２４及び第２電極２５）の延在方向は互いに異なっている。より具体的には、基材２０の中央よりもやや上寄りの位置に配置された、第１屈曲検出部２１の電極延在方向は、矩形状の基材２０の長手方向と平行である。一方、基材２０の中央よりもやや下寄りの位置に配置された、第２屈曲検出部２２の電極延在方向は、基材２０の短手方向と平行である。つまり、２つの屈曲検出部２１，２２の電極延在方向は互いに直交している。
【００６４】
尚、製造段階において、各々の屈曲検出部２１，２２において、第１電極２４に低電位（例えば、０Ｖ（グランド電位））、第２電極２５に高電位（例えば、５０Ｖ）がそれぞれ印加されることにより、圧電層２３の第１電極２４と第２電極２５との間に挟まれた部分は、第２電極２５から第１電極２４に向かう方向に分極されている。
【００６５】
図３（ａ）に示すように、２つの屈曲検出部２１，２２の、互いに導通した複数の第１電極２４からは、それぞれ１本ずつ配線２７，２８が引き出されており、これら２本の第１電極２４用の配線２７，２８は、制御装置４（図２参照）と接続されている。また、第１屈曲検出部２１の複数の第２電極２５と、第２屈曲検出部２２の複数の第２電極２５は、共通の配線２９に接続されている。この共通配線２９は、制御装置４側に設けられたグランド配線に接続されており、共通配線２９を介して、すべての第２電極２５が常にグランド電位に保持されている。
【００６６】
図３（ｂ）に示すように、圧電層２３の裏面には、２つの屈曲検出部２１，２２の第１電極２４と第２電極２５を全て覆うように、絶縁層２６が形成されている。この絶縁層２６は、ポリイミド等の絶縁性を有する合成樹脂材料で形成することができる。このように、第１電極２４と第２電極２５とが絶縁層２６で覆われることにより、電極の剥離や破損、あるいは、第１電極２４と第２電極２５の間の短絡といった問題が生じるのを防止できる。
【００６７】
次に、２つの屈曲検出部２１，２２が基材２０の屈曲変形を検出する際の作用について、図４〜図７を参照して説明する。尚、図４〜図７中の“＋”は第１電極２４の電位が正の電位である状態、“−”は第１電極２４の電位が負の電位である状態、“ＧＮＤ”は電極（第１電極２４又は第２電極２５）の電位がグランド電位である状態をそれぞれ示している。また、図４〜図７のそれぞれにおいて、（ａ）は入力装置１４の平面図、（ｂ）は（ａ）のＢ−Ｂ線断面図、（ｃ）は（ａ）のＣ−Ｃ線断面図である。
【００６８】
基材２０の屈曲検出部２１，２２が設けられている領域において屈曲変形が生じて、圧電層２３の、第１電極２４及び第２電極２５の間の部分に歪み（変形）が生じると、この歪みに応じて第１電極２４と第２電極２５との間に電界（即ち、電位差）が発生する。この作用について、基材２０の屈曲変形の態様毎に分けて、さらに具体的に説明する。
【００６９】
（１）図４、図５に示すように、基材２０にその短手方向に平行な軸Ｃ１周りの屈曲変形が生じた場合には、基材２０とともに、圧電層２３が手前側（上方）又は向こう側（下方）に凸となるように変形する。このとき、第２屈曲検出部２２において、圧電層２３の下面の、第１電極２４と第２電極２５との間の部分が、電極延在方向と直交する方向（基材２０の長手方向）に沿って伸張又は圧縮される。
【００７０】
即ち、図４（ｂ）に二点鎖線で示すように、基材２０及び圧電層２３が軸Ｃ１周りに下方に凸となるように曲げられたときには、基材２０の裏面に設けられた第２屈曲検出部２２において、圧電層２３の下面部分が、その分極方向と平行な方向に伸張される。このとき、圧電層２３の内部に、分極方向と逆方向の電界（即ち、第１電極２４から第２電極２５に向かう方向の電界）が生じ、その結果、第１電極２４に第２電極２５の電位（グランド電位）よりも高い、正の電位（＋）が発生する。
【００７１】
また、図５（ｂ）に二点鎖線で示すように、基材２０及び圧電層２３が軸Ｃ１周りに上方に凸となるように曲げられたときには、基材２０の裏面に設けられた第２屈曲検出部２２において、圧電層２３の下面部分が、その分極方向と平行な方向に圧縮される。このとき、圧電層２３の内部に分極方向と同方向の電界（即ち、第２電極２５から第１電極２４に向かう方向の電界）が生じ、その結果、第１電極２４に第２電極２５の電位（グランド電位）よりも低い、負の電位（−）が発生する。
【００７２】
尚、このとき、もう一方の第１屈曲検出部２１においても、第１電極２４と第２電極２５に挟まれた圧電層２３の部分には変形（伸張又は圧縮）が生じるものの、その変形方向は電極延在方向（基材２０の長手方向）と平行であり、第１屈曲検出部２１における圧電層２３の分極方向とは異なる（直交する）方向である。そのため、第１屈曲検出部２１においては、第１電極２４と第２電極２５との間にはほとんど電位差が生じない。
【００７３】
（２）図６、図７に示すように、基材２０にその長手方向に平行な軸Ｃ２周りの屈曲変形が生じた場合には、先の（１）で説明した第２屈曲検出部２２の作用が、今度は第１屈曲検出部２１に生じる。即ち、第１屈曲検出部２１において、圧電層２３の下面の、第１電極２４と第２電極２５との間の部分が、電極延在方向と直交する方向（基材２０の短手方向）に沿って伸張又は圧縮される。
【００７４】
即ち、図６（ｃ）に二点鎖線で示すように、基材２０及び圧電層２３が軸Ｃ２周りに下方に凸となるように曲げられたときには、基材２０の裏面に設けられた第１屈曲検出部２１において、圧電層２３の下面部分が、その分極方向と平行な方向に伸張される。このとき、圧電層２３の内部に、分極方向と逆方向の電界（即ち、第１電極２４から第２電極２５に向かう方向の電界）が生じ、その結果、第１電極２４に第２電極２５の電位（グランド電位）よりも高い、正の電位（＋）が発生する。
【００７５】
また、図７（ｃ）に二点鎖線で示すように、基材２０及び圧電層２３が軸Ｃ２周りに上方に凸となるように曲げられたときには、基材２０の裏面に設けられた第１屈曲検出部２２において、圧電層２３の下面部分が、その分極方向と平行な方向に圧縮される。このとき、圧電層２３の内部に分極方向と同方向の電界（即ち、第２電極２５から第１電極２４に向かう方向の電界）が生じ、その結果、第１電極２４に第２電極２５の電位（グランド電位）よりも低い、負の電位（−）が発生する。
【００７６】
このとき、第２屈曲検出部２２においても、第１電極２４と第２電極２５の間の圧電層２３には変形（伸張又は圧縮）が生じるものの、その変形方向は電極延在方向（基材２０の短手方向）と平行であり、圧電層２３の分極方向とは異なる（直交する）方向である。そのため、第２屈曲検出部２２においては、第１電極２４と第２電極２５との間にはほとんど電位差が生じない。
【００７７】
このように、基材２０に設けられた２つの屈曲検出部２１，２２の間で、電極（第１電極２４及び第２電極２５）の延在方向が互いに異なっている（直交している）ため、２つの屈曲検出部２１，２２により、互いに直交する２つの軸Ｃ１，Ｃ２周りの基材２０の屈曲変形を、それぞれ区別して検出することができる。
【００７８】
尚、各々の屈曲検出部２１，２２が、互い違いに配置された複数の第１電極２４と複数の第２電極２５を有するものでなく、互いに平行な第１電極２４と第２電極２５を１本ずつ有するものであったとしても、この１組の第１電極２４と第２電極２５の間における圧電層２３が変形したときの第１電極２４の電位変化を、制御装置４側で正確に検知できれば、基材２０の屈曲変形を検出することは可能である。しかし、第１電極２４の電位変化が小さいと、その電位変化を正しく検知することは困難であり、誤検出が生じる虞がある。誤検出を防止するためには、第１電極２４と第２電極２５の間の間隔を小さくして、圧電層２３に屈曲が生じたときの第１電極２４の電位変化をできるだけ大きくして、検出感度を高めることが必要であるが、そうすると、１つの屈曲検出部で基材２０の屈曲変形を検出できる範囲は非常に小さいものとなってしまう。
【００７９】
しかし、この第１実施形態においては、各々の屈曲検出部２１，２２において、圧電層２３の同じ面上に、同一方向に延在する複数の第１電極２４と複数の第２電極２５とが互い違いに配置されることによって、第１電極２４と第２電極２５とからなる電極の組が複数存在している。そのため、第１電極２４と第２電極２５間の距離を短くして検出感度を上げつつ、ある程度の広さを有する領域内に生じる基材２０の屈曲変形を１つの屈曲検出部で検出することができる。また、第１電極２４と第２電極２５からなる電極の組が複数存在することで、基材２０の屈曲変形によって発生する電荷量を増大させることができ、検出感度が向上する。
【００８０】
また、この第１実施形態においては、図３（ｂ）に示すように、圧電層２３は、基材２０のディスプレイ１３と反対側の面に配置されている。つまり、基材２０を挟んで、圧電層２３とディスプレイ１３とが反対側に配置されている。この場合には、基材２０、圧電層２３、ディスプレイ１３の順に３つの層が積層される場合（基材２０とディスプレイ１３との間に圧電層２３が存在する場合）と比べると、３層構造の曲げの中立線から、圧電層２３の下面までの距離が大きくなる。そのため、基材２０が屈曲したときに圧電層２３の下面に生じる歪みが大きくなり、第１電極２４に生じる電位も大きくなるため、基材２０の屈曲変形を検出しやすくなる。
【００８１】
（３）上述した（１），（２）の屈曲変形において、基材２０を強い力で屈曲させ、基材２０の屈曲速度（曲げ速度）が大きいほど、圧電層２３に生じる電界の大きさが大きくなる。即ち、第２電極２５が常に一定電位（グランド電位）に保持されていれば、基材２０の曲げ速度が大きいほど、第１電極２４の電位（の絶対値）が大きくなる。従って、第１電極２４の電位（の絶対値）の大きさから、基材２０に生じた屈曲変形の曲げ速度の違いをも区別して検出することも可能である。
【００８２】
以上から、第１屈曲検出部２１と第２屈曲検出部２２からそれぞれ出力された電圧信号（第１電極２４の電位）に基づいて、制御装置４は、基材２０に生じる複数の屈曲変形の態様を区別して認識することができるようになる。
【００８３】
この第１実施形態のプリンタ１においては、ユーザーにより、入力装置１４の基材２０が、紙を折り曲げるように、予め定められた所定の態様で曲げられたときには、そのときに基材２０に生じる屈曲変形が２つの屈曲検出部２１，２２により検出され、検出された屈曲変形に応じて、ディスプレイ１３に表示される画像が変更される（画像変更処理）。この画像変更処理の具体的内容については、次の制御装置４の説明において詳細に述べることにする。
【００８４】
次に、制御装置４を中心とするプリンタ１の電気的な構成について、図２のブロック図を参照して詳細に説明する。制御装置４は、中央演算処理装置であるＣＰＵ（Central Processing Unit）と、プリンタ１の各種機構を制御するためのプログラムやデータ等が格納されたＲＯＭ（Read Only Memory）、ＣＰＵで処理されるデータを一時的に記憶するＲＡＭ（Random Access Memory）、外部装置との間の信号の入出力を行う入出力インターフェース等で構成されている。
【００８５】
図２に示すように、制御装置４は、記録制御部３０（記録制御手段）と、データ記録媒体７から入力された画像データが記憶される画像データ記憶部３１と、ディスプレイ１３を制御する表示制御部３２（表示制御手段）とを有する。データ記録媒体７には、データファイルの名前（例えば、アルファベット順）や画像データの作成日時といった、ある所定の条件に基づいて予め順序付けされた複数の画像データが、画像フォルダで区分けされて記録されている。そして、データ記録媒体７がプリンタ１に接続された状態で、データ記録媒体７から読み出された複数の画像データが画像データ記憶部３１に記憶される。
【００８６】
尚、画像データが記録されたデータ記録媒体７としては、ＵＳＢメモリーやメモリカード等、プリンタのスロット等に差し込まれることにより接続されるストレージデバイス、あるいは、ケーブル等の有線、あるいは、無線で制御装置４と接続される外部記憶装置等が該当する。また、データ記録媒体７に記録されているデータは、デジタルカメラで撮影された静止画像データだけでなく、デジタルビデオカメラで撮影された動画データであってもよい。ここで、動画データとは、時間的に連なった複数の静止画像データの集合体である。この動画データがデータ記録媒体７から入力された場合には、制御装置４において、入力された動画データから複数の静止画像データが抽出され、これらの複数の静止画像データの一部がディスプレイ１３に表示されたり、あるいは、印刷用紙Ｐにその静止画像が記録されたりすることになる。
【００８７】
記録制御部３０は、画像データ記憶部３１に記憶されたデータを参照して、記録ヘッド２と搬送機構３をそれぞれ制御することにより、ユーザーによって選択された画像データの画像を、印刷用紙Ｐに印刷するように構成されている。また、表示制御部３２は、プリンタ１の状態（画像記録中の状態、あるいは、待機状態など）やエラーメッセージ等をディスプレイ１３に表示させて、これらの情報をユーザーに通知する。
【００８８】
さらに、表示制御部３２は、ユーザーによって入力装置１４の基材２０が曲げられたときに、２つの屈曲検出部２１，２２により検出された基材２０の屈曲変形の態様に応じて、ディスプレイ１３に表示させる画像を変更する機能を備えている。尚、「ディスプレイ１３に表示させる画像を変更」とは、ディスプレイ１３の画面全体に表示される画像の一部又は全体を変更することを指す。従って、現在表示されている、ある画像データの画像を別の画像データの画像に切り替えることはもちろんのこと、現在表示されている画像に対して拡大又は縮小といった画像処理を施すことも含まれる。
【００８９】
尚、記録制御部３０、画像データ記憶部３１、及び、表示制御部３２は、制御装置４を構成しているＣＰＵ，ＲＯＭ，ＲＡＭ等により実現されている。言い換えれば、制御装置４のＲＯＭに、記録ヘッド２や搬送機構３の制御プログラムや、ディスプレイ１３に表示させる画像を変更するプログラムなどの、各種プログラムが格納されており、このＲＯＭに格納されたプログラムが、制御装置４のＣＰＵで実行されることで、記録制御部３０、画像データ記憶部３１、及び、表示制御部３２の、それぞれの機能が実現される。
【００９０】
（画像変更処理）
ユーザーによって入力装置１４の基材２０が曲げられたときに、表示制御部３２により実行される画像変更処理について説明する。
【００９１】
前述したように、この第１実施形態のプリンタ１は、基材２０に設けられた２つの屈曲検出部２１，２２により、ユーザーにより基材２０が屈曲操作されたときに基材２０に生じる複数の屈曲変形の態様を、区別して検出可能である。そこで、図８に示すように、２つの屈曲検出部２１，２２により区別して検出される６種類の屈曲変形（項目Ａ〜Ｆ）に対して、画像の拡大縮小や画像の切り替えに関する６種類の画像変更処理の内容が予め割り付けられている。
【００９２】
１）画像の拡大縮小
図４に示すように、ユーザーによって、矩形シート状の基材２０が、その短手方向に平行な軸Ｃ１周りに、下方（ユーザーから見て向こう側）に凸となるように曲げられた場合（図８の項目Ａ）には、圧電層２３の下面部分が基材２０の長手方向に伸びる。すると、第２屈曲検出部２２の第１電極２４と第２電極２５の間の領域において、圧電層２３に分極方向と逆方向（第１電極２４から第２電極２５に向かう方向）の電界が生じ、第２屈曲検出部２２の第１電極２４に正の電位が発生する。この信号を受けて、表示制御部３２は、軸Ｃ１周りに、基材２０が下方へ凸となるように曲げられたと判断し、表示制御部３２は、現在表示されている画像をさらに小さく縮小した縮小画像を、ディスプレイ１３に表示させる。
【００９３】
また、図５に示すように、基材２０が、その短手方向に平行な軸Ｃ１周りに、上方（ユーザーから見て手前側）に凸となるように曲げられた場合（図８の項目Ｂ）には、圧電層２３の下面部分が基材２０の長手方向に縮む。すると、第２屈曲検出部２２の第１電極２４と第２電極２５の間の領域において、圧電層２３に分極方向と同方向（第２電極２５から第１電極２４に向かう方向）の電界が生じ、第１電極２４に負の電位が発生する。この信号を受けて、表示制御部３２は、軸Ｃ１周りに、基材２０が上方へ凸となるように曲げられたと判断し、表示制御部３２は、現在表示されている画像の中央部を拡大した拡大画像を、ディスプレイ１３に表示させる。
【００９４】
つまり、ユーザーによって、基材２０がユーザーから遠ざかるように、ユーザーから見て向こう側（下方）に凸となるように基材２０が曲げられたときには、表示制御部３２はディスプレイ１３に表示されている画像を縮小させる。一方、基材２０がユーザーに近づくように、ユーザーから見て手前側（上方）に凸となるように基材２０が曲げられたときには、表示制御部３２はディスプレイ１３に表示されている画像を拡大させる。このように、基材２０を近づける操作と画像の拡大が対応し、また、基材２０を遠ざける動作と画像の縮小とが対応しているため、画像を拡大縮小させる際の基材２０の屈曲操作をユーザーが感覚的に覚えやすいという利点がある。
【００９５】
２）画像切り替え（画像の送り／戻し）
図６に示すように、ユーザーによって、矩形シート状の基材２０が、その長手方向に平行な軸Ｃ２周りに、下方（ユーザーから見て向こう側）に凸となるように曲げられた場合には、圧電層２３の下面部分が基材２０の短手方向に伸びる。ここで、比較的ゆっくりした速度で基材２０が下方に凸となるように曲げられた場合（図８の項目Ｃ）には、第１屈曲検出部２１の第１電極２４と第２電極２５の間の領域において、圧電層２３に分極方向と逆方向（第１電極２４から第２電極２５に向かう方向）の弱めの電界が生じ、第１屈曲検出部２１の第１電極２４に、電位の絶対値が所定値以下となる、比較的小さな正の電位が発生する。
【００９６】
この信号を受けて、表示制御部３２は、軸Ｃ１周りに、基材２０がゆっくりした速度で下方へ凸となるように曲げられたと判断する。そして、画像データ記憶部３１に順序づけされた状態で記憶されている複数の画像データの中から、現在ディスプレイ１３に表示されている画像データよりも１つ後の画像データを選択し、ディスプレイ１３に表示させる画像を、この選択した画像データの画像に切り替える。
【００９７】
また、図７に示すように、ユーザーによって、矩形シート状の基材２０が、その長手方向に平行な軸Ｃ２周りに、上方（ユーザーから見て手前側）に凸となるように曲げられた場合には、圧電層２３の下面部分が基材２０の短手方向に縮む。ここで、比較的ゆっくりした速度で基材２０が上方に凸となるように曲げられた場合（図８の項目Ｄ）には、第１屈曲検出部２１の第１電極２４と第２電極２５の間の領域において、圧電層２３に分極方向と同方向（第２電極２５から第１電極２４に向かう方向）の弱めの電界が生じ、第１屈曲検出部２１の第１電極２４に、電位の絶対値が所定値以下となる、比較的小さな負の電位が発生する。
【００９８】
この信号を受けて、表示制御部３２は、軸Ｃ２周りに、基材２０がゆっくりした速度で上方へ凸となるように曲げられたと判断する。このとき、表示制御部３２は、画像データ記憶部３１に順序づけされた状態で記憶されている複数の画像データの中から、現在ディスプレイ１３に表示されている画像データよりも１つ前の画像データを選択し、ディスプレイ１３に表示させる画像を、この選択した画像データの画像に切り替える。
【００９９】
さらに、図６、図７において、基材２０が下方又は上方へ凸となるように曲げられるときの屈曲速度が大きいほど、第１屈曲検出部２１の第１電極２４と第２電極２５との間の圧電層２３に生じる電界は大きくなり、第１電極２４の電位の絶対値は大きくなる。そこで、第１電極２４の電位の絶対値が所定値よりも大きいときには、表示制御部３２は、基材２０がかなり速い速度で曲げられたと判断する（図８の項目Ｅ，Ｆ）。このとき、表示制御部３２は、ディスプレイ１３に、先ほどの処理（図８の項目Ｃ，Ｄ）よりもさらに粗い間隔（大きな間隔）で表示画像の送り／戻しを行わせる。
【０１００】
即ち、表示制御部３２は、基材２０がかなり速い速度で下方へ凸となるように曲げられたと判断したときには、ディスプレイ１３に表示させる画像を、現在表示されている画像よりも５つ後の画像に切り替える。逆に、基材２０がかなり速い速度で上方へ凸となるように曲げられたと判断したときには、表示制御部３２は、ディスプレイ１３に表示させる画像を、現在表示されている画像よりも５つ前の画像に切り替える。
【０１０１】
つまり、ユーザーは、現在表示されている画像が、表示させたい所望の画像から、順序的にかなりかけ離れた画像であることが分かっている場合には、基材２０を速い速度で屈曲させて、ディスプレイ１３に表示される画像が短い時間で所望の画像に近づくように、５つずつ画像を送り／戻しさせることができる。その後、表示画像が所望の画像に近づいていくと、今度は、基材２０をゆっくりした速度で屈曲させて、表示された画像が所望の画像かどうかを確認しながら、１つずつ画像を送り／戻しさせるということが可能になる。
【０１０２】
以上のようにして、ディスプレイ１３に所望の画像が表示された後に、ユーザーにより操作ボタン１２（図１参照）等が操作されることによって、画像を記録する指令が入力されると、記録制御部３０は、記録ヘッド２及び搬送機構３を制御して、現在ディスプレイ１３に表示されている画像を印刷用紙Ｐに記録する。
【０１０３】
以上説明した第１実施形態のプリンタによれば、次のような効果が得られる。
ユーザーが、紙を曲げるようにして、可撓性を有するシート状の基材２０に屈曲変形を生じさせると、この基材２０の屈曲変形は２つの屈曲検出部２１，２２により検出され、さらに、検出された屈曲変形に基づいて、表示制御部３２により、ディスプレイ１３に表示される画像が変更される。この構成によれば、基材２０を屈曲させるという簡単な操作だけで、画像の拡大縮小や画像の切り替え（送り／戻し）を行うことができる。従って、ディスプレイ１３に表示される画像を変更するために、複数の操作ボタン１２等を複雑に操作する必要がなく、機器の操作が苦手なユーザーであっても、ディスプレイ１３に表示される画像を簡単に変更することができる。
【０１０４】
また、ディスプレイ１３はそれ全体として可撓性を有し、さらに、このディスプレイ１３は、基材２０に設けられて基材２０と一体的に屈曲変形可能に構成されている。そのため、ユーザーは、ディスプレイ１３に表示されている画像を見ながら、このディスプレイ１３の裏側に位置する基材２０を屈曲変形させて、ディスプレイ１３に表示される画像を変更することができる。
【０１０５】
次に、前記第１実施形態に種々の変更を加えた変更形態について説明する。但し、前記第１実施形態と同様の構成を有するものについては、同じ符号を付して適宜その説明を省略する。
【０１０６】
１］基材の屈曲変形を検出する屈曲検出部の構成、数、及び、基材表面における位置等は、前記第１実施形態のものに限られず、以下のような変更が可能である。
【０１０７】
（１）図９に示すように、基材２０の中央部、及び、その周囲四方の、計５カ所に、５つの屈曲検出部４１，４２，４３，４４，４５がそれぞれ設けられていてもよい（変更形態１）。尚、この変更形態１においては、基材に設けられた５つの屈曲検出部４１〜４５のうち、図中上下方向中央部において左右に並ぶ３つの屈曲検出部４１，４２，４３においては、第１電極２４及び第２電極２５の延在方向は、基材２０の短手方向に平行である。一方、図９中、上下両側にそれぞれ設けられた２つの屈曲検出部４４，４５においては、第１電極２４及び第２電極２５の延在方向は、基材２０の長手方向に平行である。また、５つの屈曲検出部４１〜４５の第１電極２４からは独立した配線が引き出される一方で、５つの屈曲検出部４１〜４５の第２電極２５は、共通の配線２９に接続されている。
【０１０８】
従って、基材２０の上下方向中央部に配置された３つの屈曲検出部４１，４２，４３により、基材２０の、その短手方向に平行な軸周りの屈曲変形が検出され、上下２つの屈曲検出部４４，４５により、基材２０の、その長手方向に平行な軸回りの屈曲変形が検出される。
【０１０９】
さらに、５つの屈曲検出部４１〜４５は、基材２０の表面の異なる領域にそれぞれ配置されていることから、ユーザーによって基材２０の一部のみが曲げられたときに、その一部において局所的に生じる屈曲変形を検出することが可能である。例えば、基材２０の右端部分が、基材２０の短手方向に平行な軸周りに折り曲げられたときに、この右端部分に局所的に生じる屈曲変形は、右側の屈曲検出部４２によって検出される。このように、屈曲方向だけでなく、局所的に屈曲したときのその屈曲位置も検出することが可能である。つまり、前述した第１実施形態と比べて、基材２０の屈曲変形の態様をさらに細かく区別して検出することができることから、区別して検出された屈曲変形の態様に対して、多くの処理を割り付けることも可能となる。
【０１１０】
その処理の割り付けの一例について、図１０を参照して説明する。尚、図１０において、「屈曲位置」とは、ユーザーによって基材２０が曲げられた位置を示している。この図１０においては、基材２０の一部が局所的に曲げられたときに、表示制御部３２は、ディスプレイ１３に表示されている画像を、基材２０の屈曲変形を検出した屈曲検出部４１〜４５の配置領域に対応する部分を中心に、拡大又は縮小させる。
【０１１１】
例えば、図１０の項目Ｃに表されているように、ディスプレイ１３にある画像が表示されている状態で、ユーザーによって基材２０の右端部が下方（向こう側）へ凸となるように曲げられると、基材２０の右端部に設けられた屈曲検出部４２の第１電極２４のみが正の電位となり、他の屈曲検出部４１，４３，４４，４５の第１電極２４の電位はグランド電位のままとなる。従って、これら屈曲検出部４１〜４５から出力された信号を受けて、表示制御部３２は、基材２０の右端部が局所的に下方に凸となるように曲げられたことを認識できる。このとき、ディスプレイ１３に表示されている画像が標準状態の画像（拡大されていない状態の画像）である場合には、表示制御部３２は、屈曲検出部４２の配置領域に対応した、画像の右端部を中心に拡大した画像をディスプレイ１３に表示させる。また、現在ディスプレイ１３に表示されている画像が、既にその一部が拡大されている画像である場合には、表示制御部３２は、拡大位置を右端部に変更する（即ち、ディスプレイ１３の表示画像を、その右端部が拡大された画像に切り替える）。
【０１１２】
逆に、図１０の項目Ｄに示されているように、ユーザーによって基材２０の右端部が上方（手前側）へ凸となるように曲げられると、基材２０の右端部に設けられた屈曲検出部４２の第１電極２４のみが負の電位となり、他の屈曲検出部４１，４３，４４，４５の第１電極２４の電位はグランド電位のままとなる。従って、これら屈曲検出部４１〜４５から出力された信号を受けて、表示制御部３２は、基材２０の右端部が局所的に上方に凸となるように曲げられたことを認識できる。このとき、表示制御部３２は、屈曲検出部４２の配置領域に対応した、画像の右端部を中心に縮小した画像をディスプレイ１３に表示させる。
【０１１３】
基材２０の中央部、左端部、上端部、及び、下端部がそれぞれ下方又は上方に凸となるように折り曲げられた場合も、上述した、基材２０の右端部が曲げられた場合と同様に、基材２０の屈曲位置に対応した部分を中心に、画像の拡大又は縮小が行われる。
【０１１４】
このように、図１０に示す割り付けにおいては、５つの屈曲検出部４１〜４５のうちの１つが設けられている領域において基材２０を局所的に屈曲させることにより、ディスプレイ１３に表示されている画像のどの部分を中心に、画像を拡大又は縮小させるのかをユーザーが指定することができる。
【０１１５】
（２）図１１に示すように、矩形状の基材２０の右上角部の領域にも屈曲検出部（第３屈曲検出部４６）が設けられ、この第３屈曲検出部４６により、基材２０の右上角部の屈曲変形が検出されるようになっていてもよい（変更形態２）。第３屈曲検出部４６の第１電極２４及び第２電極２５の延在方向は、基材２０の長手方向（第１屈曲検出部２１の電極延在方向）に対して右回り方向（時計回り方向）に４５°、基材２０の短手方向（第２屈曲検出部２２の電極延在方向）に対して左回り方向（反時計回り方向）に４５°傾いた方向となっている。また、第３屈曲検出部４６の第１電極２４からは、第１屈曲検出部２１及び第２屈曲検出部２２とは独立した配線が引き出される一方で、第３屈曲検出部４６の第２電極２５は、第１屈曲検出部２１及び第２屈曲検出部２２の第２電極２５と共通の配線２９に接続されている。
【０１１６】
この第３屈曲検出部４６が基材２０の右上角部に設けられていると、紙の端を折るように、電極延在方向に平行な軸Ｃ３を中心に、基材２０の右上角部が下方（向こう側）又は上方（手前側）に折り曲げられたときに、第３屈曲検出部４６の第１電極２４の電位が正の電位又は負の電位になることから、表示制御部３２は、基材２０の右上角部が曲げられたことを認識することができる。
【０１１７】
さらに、この変更形態２においては、図１２に示すように、第３屈曲検出部４６により検出される、基材２０の右上角部の屈曲変形を、ディスプレイ１３に表示させる画像を変更するための屈曲変形とは異なる態様の変形であるとし、この右上角部の屈曲変形に対して、前述したような画像変更処理とは別の処理が割り付けられている。
【０１１８】
図１２において、項目Ａ〜Ｆの画像変更処理は前記第１実施形態の図８と同様であるので、その説明は省略する。一方、図１２の項目Ｇに示すように、ユーザーによって、基材２０の右上角部が、軸Ｃ３周りに下方（向こう側）に凸となるように曲げられて、第３屈曲検出部４６の第１電極２４が正の電位となったときには、記録制御部３０は、基材２０に生じた屈曲変形が、ディスプレイ１３に表示させる画像を変更するための屈曲変形ではなく、画像記録のための屈曲変形であると判断し、記録ヘッド２に、現在ディスプレイ１３に表示されている画像を印刷用紙Ｐに記録させる。また、上述したようにして、一旦、画像の記録指示がなされた後で、図１２の項目Ｈに示すように、基材２０の右上角部が上方（手前側）に凸となるように曲げられて、第３屈曲検出部４６の第１電極２４が負の電位となったときには、記録制御部３０は、記録ヘッド２に画像の記録を中止させる。
【０１１９】
この変更形態２においては、ディスプレイ１３に表示させる画像を変更する場合とは異なる屈曲変形を基材２０に生じさせることにより、記録ヘッド２により、ディスプレイ１３に表示されている画像を印刷用紙Ｐに記録させることができる。従って、画像の記録を指示するために、ユーザーが、入力装置１４とは別の操作部（図１に示す操作ボタン１２等）を操作する必要がない。また、本や冊子の所定のページを選択するために紙の端を折り曲げるような感覚で、基材２０の右上角部を折り曲げることにより、現在ディスプレイ１３に表示されている画像を選択してその画像を記録し、あるいは、一旦行った記録指令をキャンセルすることができるため、画像を記録する際の基材２０の屈曲操作を感覚的に覚えやすい。
【０１２０】
（３）前記第１実施形態においては、屈曲検出部の第１電極及び第２電極は、圧電層の基材と反対側の面に配置されていたが、図１３に示すように、屈曲検出部２１Ｃ，２２Ｃの第１電極２４及び第２電極２５が、圧電層２３の基材２０側の面に形成されてもよい（変更形態３）。但し、この場合、第１電極２４と第２電極２５が互いに導通しないように、基材２０が絶縁性材料で形成されるなど、少なくとも基材２０の下面は絶縁性を有する必要がある。また、この形態では、先の形態においては第１電極２４及び第２電極２５を覆うために必要であった、圧電層２３の裏面の絶縁層２６（図３（ｂ）参照）は不要である。
【０１２１】
（４）屈曲検出部が、圧電層２３の両面に、この圧電層２３を挟むように対向して配置された２種類の電極を有するものであってもよい（変更形態４）。例えば、図１４に示す入力装置においては、基材２０が金属材料からなる薄板であり、この基材２０は、圧電層２３の一方の面に接する共通電極を兼ねている。一方、圧電層２３の基材２０と反対側の面（下面）には、共通電極としての基材２０と対向する、平面視矩形状の２つの電極２４Ｄが配置されている。そして、１つの電極２４Ｄと共通電極としての基材２０と、両者の間に挟まれた圧電層２３により、１つの屈曲検出部２１Ｄ（２２Ｄ）が構成されている。また、共通電極としての基材２０はグランド電位に保持されている。
【０１２２】
この変更形態４において、基材２０に屈曲変形が生じて、圧電層２３の、下面に配置された電極２４Ｄと上面の共通電極としての基材２０とに挟まれた部分に歪みが生じると、この歪みに応じて電極２４Ｄと基材２０との間に電界が発生する。これにより、電極２４Ｄに正の電位、又は、負の電位が発生するため、基材２０の屈曲変形を検出することが可能になる。
【０１２３】
尚、上述した図１４の例では、金属製の基材２０が圧電層２３を挟んで電極２４Ｄと対向する電極を兼ねているが、基材２０が、圧電層２３を挟む１対の電極の一方を兼ねる必要は特になく、圧電層２３の基材２０側の面に、基材２０とは別に電極が配置されてもよい。
【０１２４】
（５）屈曲検出部としては、圧電素子の機械−電気変換作用を利用したものには限られない。例えば、図１５に示すように、屈曲検出部２１Ｅ，２２Ｅが、基材２０の表面に配置された導電性材料からなり、基材２０の屈曲変形に応じて電気抵抗が変化する、電気抵抗体４８を有するもの（いわゆる、歪みゲージ）であってもよい（変更形態５）。
【０１２５】
基材２０は絶縁性の樹脂材料で形成されるなどして、その表面は少なくとも絶縁性を有する。この絶縁性の基材２０の表面（下面）に、並列に接続された２カ所の蛇行部２４Ｅを有する電気抵抗体４８が配置されている。尚、２つの蛇行部２４Ｅは、その蛇行方向が異なっており、図１５（ａ）中上側に位置する蛇行部２４Ｅにおいては、電気抵抗体４８が基材２０短手方向と平行に蛇行しており、下側に位置する蛇行部２４Ｅにおいては、電気抵抗体４８が基材２０の長手方向と平行に蛇行している。そして、これら２つの蛇行部２４Ｅがそれぞれ２つの屈曲検出部２１Ｅ，２２Ｅを構成している。また、基材２０の下面には、電気抵抗体４８を完全に覆うように絶縁層２６が設けられている。
【０１２６】
基材２０に、蛇行部２４Ｅの蛇行方向と直交する軸周りの屈曲変形が生じ、その蛇行部２４Ｅにおいて電気抵抗体４８が蛇行方向に沿って伸縮すると、蛇行部２４Ｅの電気抵抗値が変化する。これにより、基材２０の屈曲変形が検出される。例えば、基材２０の短手方向に平行な軸Ｃ１周りの屈曲変形が基材２０に生じたときには、図１５（ａ）の下側に位置する、基材２０の長手方向に沿って蛇行する蛇行部２４Ｅにおいて、電気抵抗体４８が基材２０とともに大きく伸縮するため、その電気抵抗が変化する。
【０１２７】
（６）図１６に示すように、屈曲検出部２１Ｆが、基材２０の表面（下面）の２カ所（具体的には、基材２０の左右両端部）に配置された２つの加速度センサ５０を有するものであってもよい（変更形態６）。このように、基材２０の異なる２つの位置にそれぞれ設けられた２つの加速度センサ５０により、基材２０の２箇所の移動（位置の変化）をそれぞれ独立して検出することができることから、これら２箇所の位置変化に基づいて基材２０の屈曲変形を検出することが可能となる。
【０１２８】
２］前記第１実施形態及びその変更形態においては、屈曲検出部により検出された基材２０の様々な屈曲変形の態様に対して、表示制御部３２により実行される画像変更処理として、画像の拡大／縮小処理と、画像の切り替え処理とが割り付けられているが、これら以外の処理を、検出された基材２０の屈曲変形に対して割り付けることも可能である。
【０１２９】
例えば、一般的に、ディスプレイ１３を制御する表示制御部３２は、図１７（ａ）のように、ディスプレイ１３に１枚の画像を表示させることが可能であるが、図１７（ｂ）のように、ディスプレイ１３に複数枚（例えば、４枚）の縮小画像（サムネイル画像）を一覧表示（サムネイル表示）させることも可能である。そこで、屈曲検出部により基材２０の屈曲変形が検出されたときに、表示制御部３２が、ディスプレイ１３に一覧表示させる画像の数を変更するようになっていてもよい（変更形態７）。
【０１３０】
この変更形態７における画像変更処理の割り付けについて、基材２０に５つの屈曲検出部４１〜４５が設けられた、前述した変更形態１の入力装置（図９参照）を採用した場合を例に挙げて説明する。変更形態１の説明において述べたように、図９の入力装置においては、基材２０の中央部、右端部、左端部、上端部、及び、下端部の計５カ所における屈曲変形が、５つの屈曲検出部４１〜４５により独立して検出可能となっている。これら５つの屈曲検出部４１〜４５により検出された基材２０の屈曲変形に対して割り付けられた、画像変更処理の処理内容を図１８に示す。
【０１３１】
ユーザーによって、基材２０の中央部が下方（向こう側）に凸となるように曲げられたときには（図１８の項目Ａ）、表示制御部３２は、ディスプレイ１３の一覧表示画像数を増加させる。また、ユーザーによって、基材２０の中央部が上方（手前側）に凸となるように曲げられたときには（図１８の項目Ｂ）、表示制御部３２は、ディスプレイ１３の一覧表示画像数を減少させる。例えば、基材２０が下方に凸に曲げられたときには、図１７（ａ）のように、１枚の画像が全体表示されている標準表示状態から、図１７（ｂ）のように、４枚の縮小画像（サムネイル画像）が表示された状態へ、ディスプレイ１３の状態を切り替える。また、逆に、基材２０が上方に凸に曲げられたときには、図１７（ｂ）のサムネイル画像表示状態から、図１７（ａ）の標準表示状態に切り替える。また、４枚のサムネイル画像が表示されている状態で、さらに、画像数を増やすように基材２０が下方へ凸に曲げられたときには、一覧表示するサムネイル画像数を４枚からさらに増やす（例えば、８枚）ようにしてもよい。
【０１３２】
また、ディスプレイ１３に複数枚の画像（サムネイル画像）が一覧表示されている状態で、ユーザーによって、基材２０の右端部が下方に凸となるように曲げられた場合には（図１８の項目Ｃ）、表示制御部３２は、ディスプレイ１３に一覧表示されている複数の画像のうち、現在選択されている画像の右に位置する画像を新たに選択する。即ち、選択画像を右の画像に変更する。尚、「画像が選択されている」とは、画像を記録したり、画像処理を施したりする対象となる画像を決定するために、ディスプレイ１３に一覧表示されている画像のうちの１つが、太枠で囲まれたり、明度が高められたり、あるいは、点滅するなどして、一覧表示されている他の画像から差別化されている状態を指す。
【０１３３】
また、基材２０の左端部、上端部、及び、下端部がそれぞれ曲げられた場合には、ディスプレイ１３に一覧表示されている複数の画像のうち、現在選択されている画像に対して、左、上、及び、下に位置する画像にそれぞれ選択する（図１８の項目Ｄ，Ｅ，Ｆ）。
【０１３４】
その後、ユーザーによって操作ボタン１２（図１参照）等が操作されるなどして、現在選択されている画像の記録が指示されると、記録制御部３０は、記録ヘッド２に、その選択されている画像を印刷用紙Ｐに記録させる。
【０１３５】
このような一覧表示画像数の変更といった処理以外にも、現在表示されている画像の回転や、画像の濃淡、色合い、あるいは、コントラスト等の変更といった、様々な処理を、基材２０の屈曲変形に対して割り付けることも可能である。
【０１３６】
＜第２実施形態＞
次に、本発明の第２実施形態について説明する。図１９は、第２実施形態のプリンタの斜視図、図２０は、プリンタの電気的構成を概略的に示すブロック図である。図１９に示すように、前記第１実施形態と同様に、この第２実施形態においても、可撓性を有する基材６０とこの基材６０の屈曲変形を検出する屈曲検出部６１，６２とを含む入力装置５４が、ケーブル１５を介して、プリンタ本体６内に格納された制御装置５５に接続されている。但し、この第２実施形態においては、画像を表示するディスプレイ５３が、入力装置５４の基材６０に設けられているのではなく、プリンタ本体６の上部に形成された傾斜面６ａに、複数の操作ボタン１２とともに設けられている点で、前記第１実施形態と異なっている。
【０１３７】
この第２実施形態においても、入力装置５４は、ユーザーによって基材６０が曲げられたときに、基材６０に生じる屈曲変形を２つの屈曲検出部６１，６２で検出する。そして、ディスプレイ５３を制御する制御装置５５の表示制御部３２は、屈曲検出部６１，６２で検出された基材６０の屈曲変形に基づいて、ディスプレイ５３に表示される画像を変更する。これらの特徴については、前記第１実施形態と同様であるので、これ以上の説明は省略する。
【０１３８】
尚、このように、ディスプレイ５３が入力装置５４の基材６０から分離して設けられている場合には、入力装置５４の構成が簡単になる。また、前記第１実施形態の構成のように、ディスプレイ５３が基材６０と一体的に設けられている場合と違い、ディスプレイ５３が可撓性を有する必要は特にないため、ディスプレイ５３が曲がって画像が見えにくくなるということはない。
【０１３９】
ところで、ディスプレイ５３と入力装置５４の基材６０とが分離している場合には、ユーザーが入力装置５４を手に取ったときに、現在の基材６０の姿勢がディスプレイ５３の画像に対応した正規の姿勢であるのかどうかわからない場合がある。そして、ユーザーが誤った姿勢で基材６０を操作してしまうと、ユーザーは基材６０を正しく屈曲操作したつもりでも、ユーザーの意向がディスプレイ５３に正しく反映されない虞がある。そこで、プリンタ５１は、ユーザーに正規の使用姿勢を認識させるための構成、あるいは、基材６０の現在の姿勢を認識するための構成を備えていることが好ましい。その構成例を以下にいくつか述べる。
【０１４０】
１）基材６０に、ユーザーに対して正規の使用姿勢を認識させる姿勢識別部が設けられていてもよい。例えば、図２１に示すように、基材６０Ａの一部分に文字やマーク等からなる識別部７０が設けられてもよい。この場合には、ユーザーは、文字やマーク等からなる識別部７０が傾いたり、あるいは、逆向きになっていたりしていないかを確認することによって、基材６０Ａが正規の使用姿勢にあるかを一目でわかるようになる。または、基材６０のどの方向が、正規の使用姿勢における上部であるかを示す、矢印マークやメッセージが、基材６０に付されていてもよい。
【０１４１】
あるいは、図２２に示すように、正規の使用姿勢にあるときに、基材６０Ｂの左右両側に取っ手７１（つまみ）がそれぞれ設けられることにより、ユーザーが基材６０の正規の使用姿勢をすぐに認識できるようになっていてもよい。
【０１４２】
さらには、図２３（ａ）に示すように、プリンタ本体６の傾斜面６ａに配置されたディスプレイ５３Ｃの形状が、台形など上下非対称な形状にされた上で、図２３（ｂ）に示すように、基材６０Ｃの形状をディスプレイ５３の形状とほぼ相似な形状にすることで、ディスプレイ５３に対応した基材６０の正規の使用姿勢を、一目で認識できるようにしてもよい。この場合、基材６０Ｃの外形形状自体が、その正規の使用姿勢をユーザーに認識させる姿勢識別部となる。
【０１４３】
このように、基材６０に使用姿勢を認識させるための姿勢識別部が設けられていると、ユーザーは、基材６０を操作するときに、どの姿勢で基材６０を曲げれば、ディスプレイ５３の画像変更を正しく行うことができるかをすぐに認識することができる。
【０１４４】
２）プリンタ５１が、基材６０の姿勢を検出するための構成（姿勢検出部）を備えていてもよい。例えば、図２４に示すように、プリンタ５１が、プリンタ本体６から離れた場所で操作される基材６０の姿勢を検出する、磁気センサ等からなる姿勢検出センサ７５を備えていてもよい。この場合には、プリンタ５１の制御装置５５が、姿勢検出センサ７５の検出結果から、基材６０が正規の使用姿勢にあるか否かを判断することができるため、基材６０が正規の使用姿勢にない場合には、ディスプレイ５３にエラーメッセージを表示させるなどして、そのことをユーザーに知らせることが可能となる。
【０１４５】
あるいは、ユーザーに基材６０を試行的に屈曲させて、その試行結果から基材６０の姿勢を検出するように構成されていてもよい。この場合、まず、入力装置５４が実際に操作される前（例えば、使用しないときに入力装置５４をセットしておくためのホルダ（図示省略）から、ユーザーによって入力装置５４が取り外された直後）に、ユーザーに対して、試行的に一度基材６０を曲げることを依頼するメッセージを、ディスプレイ５３等に表示する。この試行的な屈曲操作の必要性は、ユーザーによる入力装置５４の操作直前に知らせる必要は必ずしもなく、プリンタ５１の取扱説明書の記載や、プリンタ本体６又は入力装置５４等に貼り付けられた注意書き等によって、事前にユーザーに通知しておいてもよい。
【０１４６】
そして、ユーザーによって試行的に基材６０が曲げられたときに、屈曲検出部６１，６２により検出された基材６０の屈曲変形に基づいて、制御装置５５は基材６０の姿勢を検出する。例えば、正規の使用姿勢にある基材６０の右端部に屈曲検出部６１，６２が設けられた上で、現在の姿勢のままで基材６０の右端部を試行的に曲げるように、ユーザーに対して指示した場合に、屈曲検出部６１，６２による検出結果から、その指示した通りに、基材６０の右端部が曲げられたと認識される場合には、制御装置５５は、現在の姿勢が正規の使用姿勢であると判断する。一方、基材６０の右端部を試行的に曲げるようにユーザーに指示しているはずなのに、屈曲検出部６１，６２による検出結果からは、基材６０の左端部が曲げられたと認識される場合には、制御装置５５は、現在の姿勢が正規の使用姿勢とは左右反対の姿勢であると判断する。この場合、制御装置５５が、屈曲検出部６１，６２による検出結果に基づいて、基材６０の姿勢を検出する姿勢検出部に相当する。
【０１４７】
このように、ユーザーによる試行的な屈曲が行われたときの、屈曲変形の検出結果から、制御装置５５が基材６０の姿勢を認識することができる場合には、基材６０の姿勢を検出するための特別なセンサ（図２４の姿勢検出センサ７５）が不要になる。
【０１４８】
＜第３実施形態＞
前述した第１実施形態の、ディスプレイ一体型の入力装置は、記録ヘッドを備えたプリンタに接続されて使用されるものであった。しかし、ディスプレイと入力装置とが一体化された装置が、画像表示装置として単体で使用できるものであってもよい。
【０１４９】
図２５は、第３実施形態に係る画像表示装置８０の電気的構成を概略的に示すブロック図である。画像表示装置８０は、可撓性を有する基材とこの基材の屈曲変形を検出する２つの屈曲検出部９１，９２とを備えた入力装置８４と、基材と一体的に屈曲変形可能な可撓性のディスプレイ８３と、屈曲検出部９１，９２の検出結果に基づいてディスプレイ８３を制御する制御装置８５とを備えている。
【０１５０】
前記第１実施形態の構成と同様に、入力装置８４は、ユーザーによって基材が曲げられたときに、基材に生じる屈曲変形を屈曲検出部９１，９２で検出する。そして、ディスプレイ８３を制御する制御装置８５の表示制御部８２は、屈曲検出部９１，９２で検出された基材の屈曲変形に基づいて、ディスプレイ８３に表示される画像を変更する。
【０１５１】
但し、この第３実施形態の画像表示装置８０は、ＣＰＵ、ＲＯＭ、ＲＡＭ等で構成された制御装置８５をそれ自身に有する。そのため、データ記録媒体から入力された画像データを、その制御装置８５内の画像データ記憶部８１に格納しておくことができる。また、ユーザーにより基材が屈曲操作されたときには、基材に生じた屈曲変形の態様に応じて、画像データ記憶部８１から画像データを抽出して、ディスプレイ８３に画像を表示させることができる。つまり、プリンタ等の機器に接続することなく、単体でディスプレイ８３に画像表示を行わせることができる。もちろん、前記第１実施形態のように、プリンタ等に接続して使用することも可能である。
【図面の簡単な説明】
【０１５２】
【図１】本発明の第１実施形態に係るプリンタの概略斜視図である。
【図２】第１実施形態のプリンタの電気的構成を概略的に示すブロック図である。
【図３】入力装置を示す図であり、（ａ）は平面図、（ｂ）は（ａ）のＢ−Ｂ線断面図である。
【図４】基材が軸Ｃ１周りに紙面向こう側へ凸となるように屈曲したときの入力装置の状態を示す図であり、（ａ）は平面図、（ｂ）は（ａ）のＢ−Ｂ線断面図、（ｃ）は（ａ）のＣ−Ｃ線断面図である。
【図５】基材が軸Ｃ１周りに紙面手前側へ凸となるように屈曲したときの入力装置の状態を示す図であり、（ａ）は平面図、（ｂ）は（ａ）のＢ−Ｂ線断面図、（ｃ）は（ａ）のＣ−Ｃ線断面図である。
【図６】基材が軸Ｃ２周りに紙面向こう側へ凸となるように屈曲したときの入力装置の状態を示す図であり、（ａ）は平面図、（ｂ）は（ａ）のＢ−Ｂ線断面図、（ｃ）は（ａ）のＣ−Ｃ線断面図である。
【図７】基材が軸Ｃ２周りに紙面手前側へ凸となるように屈曲したときの入力装置の状態を示す図であり、（ａ）は平面図、（ｂ）は（ａ）のＢ−Ｂ線断面図、（ｃ）は（ａ）のＣ−Ｃ線断面図である。
【図８】基材の屈曲変形の態様に対して割り付けられた画像変更処理の内容を示す図である。
【図９】変更形態１の入力装置の平面図である。
【図１０】変更形態１の、基材の屈曲変形の態様に対して割り付けられた、画像変更処理の内容を示す図である。
【図１１】変更形態２の入力装置の平面図である。
【図１２】変更形態２の、基材の屈曲変形の態様に対して割り付けられた処理内容を示す図である。
【図１３】変更形態３の入力装置を示す図であり、（ａ）は平面図、（ｂ）は（ａ）のＢ−Ｂ線断面図である。
【図１４】変更形態４の入力装置を示す図であり、（ａ）は平面図、（ｂ）は（ａ）のＢ−Ｂ線断面図である。
【図１５】変更形態５の入力装置を示す図であり、（ａ）は平面図、（ｂ）は（ａ）のＢ−Ｂ線断面図である。
【図１６】変更形態６の入力装置を示す図であり、（ａ）は平面図、（ｂ）は（ａ）のＢ−Ｂ線断面図である。
【図１７】ディスプレイの画像表示枚数変更に関する説明図である。
【図１８】変更形態７の、基材の屈曲変形の態様に対して割り付けられた、画像変更処理の内容を示す図である。
【図１９】第２実施形態に係るプリンタの概略斜視図である。
【図２０】第２実施形態のプリンタの電気的構成を概略的に示すブロック図である。
【図２１】姿勢識別部を有する基材の一例を示す図である。
【図２２】姿勢識別部を有する基材の、別の一例を示す図である。
【図２３】姿勢識別部を有する基材の、さらに別の一例を示す図である。
【図２４】姿勢検出センサを備えた形態における、プリンタの電気的構成を概略的に示すブロック図である。
【図２５】第３実施形態に係る画像表示装置の電気的構成を概略的に示すブロック図である。
【符号の説明】
【０１５３】
１  プリンタ
２  記録ヘッド
１３  ディスプレイ
１４  入力装置
２０  基材
２１，２２  屈曲検出部
２１Ｃ，２２Ｃ  屈曲検出部
２１Ｄ  屈曲検出部
２１Ｅ，２２Ｅ  屈曲検出部
２１Ｆ  屈曲検出部
２３  圧電層
２４  第１電極
２４Ｄ  電極
２５  第２電極
３０  記録制御部
３２  表示制御部
４１，４２，４３，４４，４５  屈曲検出部
４６  屈曲検出部
４８  電気抵抗体
５０  加速度センサ
５１  プリンタ
５３，５３Ｃ  ディスプレイ
５４  入力装置
６０，６０Ａ，６０Ｂ，６０Ｃ  基材
６１，６２  屈曲検出部
７０  姿勢識別部
７５  姿勢検出センサ
８０  画像表示装置
８２  表示制御部
８３  ディスプレイ
８４  入力装置
９１，９２  屈曲検出部
【図１】
2009086403.tif 000003
【図２】
2009086403.tif 000004
【図３】
2009086403.tif 000005
【図４】
2009086403.tif 000006
【図５】
2009086403.tif 000007
【図６】
2009086403.tif 000008
【図７】
2009086403.tif 000009
【図８】
2009086403.tif 000010
【図９】
2009086403.tif 000011
【図１０】
2009086403.tif 000012
【図１１】
2009086403.tif 000013
【図１２】
2009086403.tif 000014
【図１３】
2009086403.tif 000015
【図１４】
2009086403.tif 000016
【図１５】
2009086403.tif 000017
【図１６】
2009086403.tif 000018
【図１７】
2009086403.tif 000019
【図１８】
2009086403.tif 000020
【図１９】
2009086403.tif 000021
【図２０】
2009086403.tif 000022
【図２１】
2009086403.tif 000023
【図２２】
2009086403.tif 000024
【図２３】
2009086403.tif 000025
【図２４】
2009086403.tif 000026
【図２５】
2009086403.tif 000027